(57)【特許請求の範囲】
【請求項１】
放送受信機および楽曲再生機を含む複数の情報入力部を情報源として情報提供を行う車載情報提供装置であって、
ユーザ嗜好情報を記憶するユーザ嗜好情報記憶手段と、
ユーザによる操作内容からユーザの嗜好に合った情報を取得するユーザ嗜好情報取得手段と、
前記ユーザ嗜好情報取得手段によって取得された前記ユーザの嗜好に合った情報を前記ユーザ嗜好情報記憶手段に追加記憶してユーザの嗜好を学習するユーザ嗜好学習手段と、
車両の走行に関する情報を取得して、車両の走行中の状況を特定する状況特定手段と、
前記ユーザ嗜好学習手段によって学習した前記ユーザの嗜好および前記車両の走行中の状況に基づいて前記ユーザの嗜好および前記車両の走行中の状況に適した情報を前記複数の情報源を対象として選択し、前記車両の走行中に提供する内容を構成するタイムテーブルを生成するタイムテーブル生成手段と、
前記タイムテーブルに従って情報を提供する情報提供手段と、を備えたことを特徴とする車載情報提供装置。
【請求項２】
前記ユーザ嗜好情報取得手段は、ユーザの選曲操作によって選曲された楽曲を前記ユーザの嗜好に合った情報として取得することを特徴とする請求項１に記載の車載情報提供装置。
【請求項３】
外部から提供される外部情報を受信する外部情報入出力部を備え、
前記ユーザ嗜好情報取得手段は、前記外部情報入出力部によって受信可能な前記外部情報の中からユーザによって選択された外部情報を前記ユーザの嗜好に合った情報として取得することを特徴とする請求項１または２に記載の車載情報提供装置。
【請求項４】
テレビ番組を受信するテレビチューナおよび／またはラジオ番組を受信するラジオチューナを備え、
前記ユーザ嗜好情報取得手段は、前記テレビチューナおよび／またはラジオチューナによって受信可能な番組の中からユーザによって選択された番組を前記ユーザの嗜好に合った情報として取得することを特徴とする請求項１ないし３のいずれか１つに記載の車載情報提供装置。
【請求項５】
ユーザの購入操作を検知する購入操作検知手段を備え、
前記ユーザ嗜好情報取得手段は、前記購入操作検知手段によって前記楽曲の購入操作が検知されると、購入された楽曲の音楽情報を前記ユーザの嗜好に合った情報として取得することを特徴とする請求項１ないし４のいずれか１つに記載の車載情報提供装置。
【請求項６】
楽曲の音楽情報が記憶されたメディアの挿入を検知するメディア挿入検知手段を備え、
前記ユーザ嗜好情報取得手段は、前記メディア挿入検知手段によって前記メディアの挿入が検知されると、前記メディアに記憶された楽曲の音楽情報を前記ユーザの嗜好に合った情報として取得することを特徴とする請求項１ないし５のいずれか１つに記載の車載情報提供装置。
【発明の詳細な説明】
【技術分野】
【０００１】
本発明は、車両に搭載され各種情報を提供する車載情報提供装置に関する。
【背景技術】
【０００２】
従来、車両情報を検出するための車両状況検出部、ドライバーの意識情報を検出するための意識レベル検出部、走行情報を検出するための走行情報検出部、ドライバーの意志情報を検出するための意志情報検出部を備え、これらの各検出部によって検出された情報に基づいてドライバーの嗜好傾向を分析し、この分析結果に基づいてドライバーの嗜好に合った音楽を選曲し、選局した音楽をドライバーに提供する装置がある（例えば、特許文献１参照）。
【０００３】
この装置では、ドライバーの操作等に基づいてドライバーの嗜好が分析され、ドライバーの嗜好に合った曲が選曲され提供される。例えば、ドライバーによって音楽の再生中にボリュームが上げられた場合にはドライバーの嗜好に合っている曲であると分析され、ドライバーによって音楽の再生中にボリュームが下げられた場合にはドライバーの嗜好に合っていない曲であると分析され、この分析結果に基づいてドライバーの嗜好に合った音楽が選曲される。
【特許文献１】特開２００２−１１４１０７号公報
【発明の開示】
【発明が解決しようとする課題】
【０００４】
しかし、特許文献１に記載の装置は、単純にドライバーによる操作部の操作に基づいてドライバーの意志を検知し、ユーザの嗜好に合った曲を選曲し提供するので、必ずしもユーザの嗜好に合った情報が提供されるとは限らない。
【０００５】
本発明は上記問題に鑑みたもので、よりユーザの嗜好に合った情報を提供することを目的とする。
【課題を解決するための手段】
【０００６】
上記目的を達成するため、本発明では、ユーザによる操作内容からユーザの嗜好に合った情報を取得し、取得したユーザの嗜好に合った情報をユーザ嗜好情報記憶手段に追加記憶してユーザの嗜好を学習するとともに、車両の走行に関する情報を取得して、車両の走行中の状況を特定し、学習したユーザの嗜好および車両の走行中の状況に基づいてユーザの嗜好および車両の走行中の状況に適した情報を複数の情報源を対象として選択し、車両の走行中に提供する内容を構成するタイムテーブルを生成し、生成した番組に従って情報を提供することを特徴としている。
【０００７】
このように、ユーザによる操作内容からユーザの嗜好に合った情報を取得し、取得したユーザの嗜好に合った情報をユーザ嗜好情報記憶手段に追加記憶してユーザの嗜好を学習するとともに、車両の走行に関する情報を取得して、車両の走行中の状況を特定し、学習したユーザの嗜好および車両の走行中の状況に基づいてユーザの嗜好および車両の走行中の状況に適した情報を複数の情報源を対象として選択し、車両の走行中に提供する内容を構成するタイムテーブルを生成し、生成したタイムテーブルに従って情報を提供するので、よりユーザの嗜好に合った情報を提供することができる。
【発明を実施するための最良の形態】
【０００８】
本発明の一実施形態に係る車載情報提供装置の全体構成を図１に示す。車載情報提供装置は、ナビゲーション装置１を用いて構成されている。ナビゲーション装置１は、位置検出部１１、操作スイッチ群１７、ＴＶチューナ１８、ＦＭ・ＡＭチューナ１９、ＣＤドライブ２０、ＤＶＤドライブ２１、ＭＤドライブ２２、外部オーディオインタフェース２３、制御回路２４、内部記憶媒体２５、表示部２６、音声出力部２７、外部情報入出力部２８およびリモコンセンサ２９を備えている。
【０００９】
位置検出器１１は、いずれも周知の地磁気センサ１２、ジャイロスコープ１３、距離センサ１４およびＧＰＳ受信機１５等のセンサを有しており、これらセンサの各々の性質に基づいた現在位置を特定するための情報を制御回路２４に出力する。
【００１０】
操作スイッチ群１７は、表示部２６の表示画面の周囲に設けられた複数のメカニカルスイッチ、表示部２６の表示画面に重ねて設けられたタッチパネル等の入力装置からなり、ユーザによるメカニカルスイッチの押下、タッチパネルのタッチに応じた信号を制御回路２４に出力する。
【００１１】
ＴＶチューナ１８は、制御回路２４からの制御信号に応じてＴＶ放送局からの電波を受信し、映像信号および音声信号を制御回路２４に出力する。
【００１２】
ＦＭ・ＡＭチューナ１９は、制御回路２４からの制御信号に応じてＦＭラジオまたはＡＭラジオ放送局からの電波を受信し、音声信号を制御回路２４に出力する。
【００１３】
ＣＤドライブ２０、ＤＶＤドライブ２１、ＭＤドライブ２２は、制御回路２４からの制御に基づいて、ＣＤ、ＤＶＤ、ＭＤ等のメディアに記憶された楽曲および音楽情報を読み出して制御回路２４に出力する。これらの各ドライブ２０〜２２は、ＣＤ、ＤＶＤ、ＭＤ等の各メディアの挿入を検知すると検知信号を制御回路２４へ出力するセンサを有している。
【００１４】
外部オーディオインタフェース２３は、携帯オーディオ端末（図示せず）とケーブルを介して接続するための接続端子を有し、この接続端子を介して携帯オーディオ端末と各種データの入出力を行う。
【００１５】
内部記憶媒体２５は、ＨＤＤ（ハードディスクドライブ）等の大容量不揮発性記憶媒体によって構成されている。この内部記憶媒体２５には、制御回路２４が実行するためのプログラム、地図表示のための地図データ、目的地、目的地までの走行ルート、目的地に到着するまでの予想走行時間、楽曲および音楽情報、ユーザ嗜好情報、行動パターン情報等の情報が記憶される。
【００１６】
表示部２６は、液晶等による表示画面を有し、制御回路２４から入力される映像信号に応じた映像を表示画面に表示させる。
【００１７】
音声出力部２７は、スピーカを有し、制御回路２４から入力される音声信号に応じた音声をスピーカから出力させる。
【００１８】
外部情報入出力部２８は、例えば、ＶＩＣＳなどのインフラネットワークやインターネットなどのネットワークから提供される各種外部情報を取得し、ネットワークに接続された通信装置に対して情報を発信するためのものである。この外部情報入出力部２８を介して取得される外部情報としては、例えば、天気情報（天気予報、警報、注意報など）、交通情報（通行止め情報、渋滞情報）、音楽番組、ニュース、ライブ中継などがある。なお、インターネットなどのネットワークから取得する外部情報は、ストリーミング形式やダウンロード形式等、様々な形式で取得が可能となっている。
【００１９】
リモコンセンサ２９は、ユーザの操作に基づいて赤外線等による無線信号を送信するリモコン２９ａから受信した信号を制御回路２４へ出力する。
【００２０】
制御回路２４は、メモリ、ＣＰＵ等を備えたコンピュータによって構成され、内部記憶媒体２５に記憶されたプログラムに従って各種処理を行う。
【００２１】
本実施形態におけるナビゲーション装置１の内部記憶媒体２５には、製品出荷時に、数万タイトルの楽曲およびこれらの楽曲の音楽情報（アルバム名、トラック名、アーティスト名、ジャンル等）が記憶されている。
【００２２】
利用者は、内部記憶媒体２５に記憶された楽曲を予め定められた回数（例えば、３回）まで無料で試聴できるようになっており、試聴した楽曲が気に入った場合には、購入操作を行うことで楽曲を購入して何度でも聞くことが可能となる。
【００２３】
また、ナビゲーション装置１は、各ドライブ２０〜２２に挿入されたＣＤ、ＤＶＤ、ＭＤ等のメディアに記憶された楽曲を再生すると、再生した楽曲を自動的に内部記憶媒体２５にコピーする機能を備えている。この機能により、次回から、ＣＤ、ＤＶＤ、ＭＤ等のメディアの挿入操作を行うことなく、内部記憶媒体２５にコピーされた楽曲を選択操作して再生することができる。
【００２４】
また、本実施形態におけるナビゲーション装置１は、ユーザに係るユーザ基本情報をアンケート形式で入力するようになっている。ユーザ基本情報として入力される情報としては、例えば、ユーザの氏名、生年月日、性別、血液型、現住所、出身地、学歴、職種、役職、勤務地、休みの日（曜日）などのユーザ属性情報、ユーザの好みの色、好みの音、好みの匂い、好みの色、好みの音楽アーティスト、好みの音楽ジャンル、好みの書籍、好みの作家、好みの書籍ジャンル、好みのテレビ・ラジオ番組、１日の平均テレビ視聴時間、１日の平均ラジオ聴取時間、好みの食べ物、流行敏感度などのユーザ嗜好情報がある。
【００２５】
図２に示すように、内部記憶媒体２５には、スケジュールおよび走行履歴が含まれる行動パターン情報Ａとユーザの嗜好に合ったユーザ嗜好情報Ｂを記憶するユーザ情報記憶領域Ｃが設けられている。ユーザによってユーザ基本情報が入力されると、入力された情報によって初期テンプレートが生成され、ユーザ嗜好情報Ｂに記憶される。このテンプレートは、ユーザ毎に生成される。
【００２６】
本実施形態におけるナビゲーション装置１は、ユーザによる選曲操作、音楽購入操作、楽曲が記憶されたメディアの挿入操作等の各種操作を検知すると、ユーザの操作内容からユーザの嗜好に合った情報を取得して内部記憶媒体２５に記憶されたユーザ嗜好情報に追加記憶してユーザの嗜好を学習する学習機能を備えている。この学習機能によって学習したユーザの嗜好に合った番組を生成し、生成した番組に従ってユーザの嗜好に合った情報を提供するようになっている。
【００２７】
次に、図３を参照して、制御回路２４によるユーザ嗜好の学習機能について説明する。制御回路２４は、イグニッションスイッチを介してバッテリから電源が供給されると、位置検出部１１から入力される現在位置を特定するための情報に基づいて車両の現在位置を算出する現在位置算出処理等の処理を開始する。制御回路２４は、これらの各処理と並行して図３に示す処理を繰り返し行う。
【００２８】
まず、操作スイッチ群１７あるいはリモコンセンサ２９から入力される信号に基づいてユーザ操作検知を行う。具体的には、ＴＶチューナ１８、ＦＭ・ＡＭチューナ１９、ＣＤドライブ２０、ＤＶＤドライブ２１、ＭＤドライブ２２、外部オーディオインタフェース２３、内部記憶媒体２５、外部情報入出力部２８のいずれかに対するユーザの操作を検知する（Ｓ１００）。
【００２９】
ここで、ユーザの操作が検知されると、次に、操作情報を取得する（Ｓ１０２）。具体的には、ＴＶチューナ１８、ＦＭ・ＡＭチューナ１９、ＣＤドライブ２０、ＤＶＤドライブ２１、ＭＤドライブ２２、外部オーディオインタフェース２３、内部記憶媒体２５、外部情報入出力部２８に対する操作内容を示す操作情報を取得する。
【００３０】
次に、取得した操作情報に基づいて操作対象を判定する（Ｓ１０４）。具体的には、操作対象がＣＤドライブ２０、ＤＶＤドライブ２１、ＭＤドライブ２２、外部オーディオインタフェース２３に接続された携帯オーディオ端末、内部記憶媒体２５に対する楽曲再生に関するものであるか、外部情報入出力部２８に対するものであるか、ＴＶチューナ１８、ＦＭ・ＡＭチューナ１９に対するものであるかを判定する。
【００３１】
操作対象がＣＤドライブ２０、ＤＶＤドライブ２１、ＭＤドライブ２２、外部オーディオインタフェース２３に接続された携帯オーディオ端末および内部記憶媒体２５のいずれかに対するものであると判定された場合、次に、音楽情報を取得する（Ｓ１０６）。具体的には、ユーザによって選曲操作された楽曲の音楽情報（アルバム名、トラック名、アーティスト名、ジャンル等）を、選曲操作された楽曲が記憶されているメディアあるいは内部記憶媒体２５から取得する。
【００３２】
また、操作対象が外部情報入出力部２８に対するものであると判定された場合、次に、外部情報を取得する（Ｓ１０８）。具体的には、外部情報入出力部２８によって受信可能な外部情報（天気情報、交通情報、音楽番組、ニュース、ライブ中継等）の中からユーザの操作によって特定された外部情報を取得する。インターネットなどのネットワークから取得する外部情報としては、例えば、ユーザの操作によって特定されたインターネット上のウェブサイトのＵＲＬ（Ｕｎｉｖｅｒｓａｌ  Ｒｅｆｅｒｅｎｃｅ  Ｌｏｃａｔｏｒ）、ウェブサイトに含まれるテキストデータ等を取得する。
【００３３】
また、操作対象がＴＶチューナ１８とＦＭ・ＡＭチューナ１９のいずれかであると判定された場合、次に、テレビ・ラジオ番組情報を取得する（Ｓ１１０）。具体的には、ＴＶチューナ１８あるいはＦＭ・ＡＭチューナ１９によって受信可能な番組の中からユーザによって選択された番組情報（受信チャンネル、放送開始時刻、放送終了時刻等）を取得し、Ｓ１１２へ進む。
【００３４】
また、Ｓ１１４では、ユーザの操作スイッチ群１７あるいはリモコンセンサ２９から入力される信号に基づいて音楽購入検知を行う。具体的には、外部情報入出力部２８を介してネットワークに接続されたセンタから音楽を視聴するためのライセンスキーを取得する購入操作が行われたかに基づいて音楽の購入操作の検知を行う。
【００３５】
ここで、音楽購入の操作が検知されると、次に、購入操作された音楽情報を取得する（Ｓ１１６）。具体的には、購入操作に基づいて購入操作された楽曲の音楽情報（アルバム名、トラック名、アーティスト名、ジャンル等）を取得し、Ｓ１１２へ進む。
【００３６】
また、Ｓ１１８では、ユーザによってＣＤドライブ２０、ＤＶＤドライブ２１およびＭＤドライブ２２のいずれかへメディアが挿入されたときに、各ドライブ２０〜２２から出力されるメディア挿入の検知信号に基づいてユーザによるＣＤドライブ２０、ＤＶＤドライブ２１、ＭＤドライブ２２へのメディア挿入の検知を行う。
【００３７】
ここで、ユーザによるＣＤドライブ２０、ＤＶＤドライブ２１およびＭＤドライブ２２のいずれかへのメディア挿入が検知されると、次に、挿入されたメディアに記憶された楽曲の音楽情報（アルバム名、トラック名、アーティスト名、ジャンル等）を取得し（Ｓ１２０）、Ｓ１１２へ進む。
【００３８】
Ｓ１１２では、このようにＳ１０６、Ｓ１０８、Ｓ１１０、Ｓ１１６、Ｓ１２０において取得したユーザの嗜好に合った情報を内部記憶媒体２５に記憶されたユーザ嗜好情報に追加記憶してユーザの嗜好を学習する。すなわち、ユーザの選曲操作によって選曲された楽曲の音楽情報（アルバム名、トラック名、アーティスト名、ジャンル等）、ユーザの操作によって特定された外部情報（天気情報、交通情報、音楽番組、ニュース、ライブ中継等）、ユーザの操作によって選択されたテレビ・ラジオ番組、ユーザの購入操作によって購入された楽曲の音楽情報、ユーザのメディアの挿入操作によって挿入されたメディアに記憶された音楽情報を、それぞれユーザの嗜好に合った情報としてユーザ嗜好情報に追加記憶してユーザの嗜好を学習し、本処理を終了する。
【００３９】
このような学習機能によって、上記した内部記憶媒体２５に記憶された初期テンプレートは、図４に示すテンプレートの更新処理によって随時更新される。
【００４０】
まず、ユーザの操作によって入力されるユーザに係るユーザ基本情報を取得し（Ｓ１５０）、次に、取得したユーザ基本情報に基づいて初期テンプレートを生成する（Ｓ１５２）。
【００４１】
次に、ユーザの嗜好に合った情報を取得する（Ｓ１５４）。具体的には、図３のＳ１０６、Ｓ１０８、Ｓ１１０、Ｓ１１６、Ｓ１２０において取得した各種情報をユーザの嗜好に合った情報として取得する（Ｓ１５４）。
【００４２】
次に、取得したユーザの嗜好に合った情報をユーザ嗜好情報に追加記憶することによりテンプレートを更新し（Ｓ１５６）、Ｓ１５４へ戻る。このようにＳ１５４〜Ｓ１５６を繰り返し、テンプレートを随時更新する。
【００４３】
次に、図５を参照して、制御回路２４による番組生成処理について説明する。ユーザの操作に応じて表示画面にユーザ認証のための入力画面（例えば、名前とパスワードの入力画面）を表示させ、この表示画面に従ってユーザの操作により入力された情報に基づいてユーザ認証を行い、このユーザ認証によってユーザが認証されると、制御回路２４は図５に示す番組生成処理を開始する。
【００４４】
まず、車両周辺の状況を認識するためのシーン判定処理を行う（Ｓ２００）。図６に、シーン判定処理のフローチャートの一例を示す。
【００４５】
このシーン判定処理では、まず、日時情報を取得する（Ｓ２１０）。具体的には、内部カレンダを参照して年月日、時分秒、曜日を取得する。
【００４６】
次に、天気情報を取得する（Ｓ２１２）。具体的には、外部情報入出力部２８を介して天気情報を取得する。
【００４７】
次に、走行環境に関する情報を取得する（Ｓ２１４）。具体的には、外部情報入出力部２８を介して取得した交通情報（通行止め情報、渋滞情報）や、現在位置と地図データに基づいて走行道路の車線数等、走行環境に関する情報を取得する。
【００４８】
次に、走行情報を取得する（Ｓ２１６）。具体的には、ユーザの操作によって入力された目的地、目的地までの走行ルートが設定されている場合にはその走行ルート、目的地に到着するまでの予想走行時間等の走行情報を内部記憶媒体２５から取得する。
【００４９】
次に、ユーザ情報記憶領域Ｃに記憶された行動パターン情報Ａを取得する（Ｓ２１８）。具体的には、行動パターン情報Ａから、スケジュールと過去の走行履歴を取得する。
【００５０】
次に、シーン判定を行う（Ｓ２２０）。具体的には、取得した日時情報に基づいて平日であるか休日であるかを判定し（Ｓ２２１）、取得した天気情報に基づいて天気（晴れ、曇り、雨等）を判定し、走行環境情報に基づいて渋滞中であるか否かを判定し（Ｓ２２３）、取得した走行情報に基づいて目的地を判定し（Ｓ２２４）、取得した走行情報と現在位置に基づいて走行ルートが高速道路であるか否かを判定する（Ｓ２２５）。
【００５１】
次に、これらの判定Ｓ２２１〜Ｓ２２５によって、状況（シーン）が決定される（Ｓ２３０）。図６に示す例では、「晴れの日の平日通勤。通勤道は渋滞しており、現在高速道路を走行中。」といった状況（シーン）が決定される。
【００５２】
図５の説明に戻り、Ｓ３００では、内部記憶媒体２５からユーザ嗜好情報を取得する。このユーザ嗜好情報は、ユーザによる各種操作内容からユーザの嗜好に合った情報が反映されたものである。
【００５３】
次に、ユーザ嗜好情報とシーン判定に基づいてタイムテーブル（番組）を生成する（Ｓ４００）。具体的には、ベイジアン・ネットワーク・モデル等の確率ネットワーク・モデルを用いて、上述したようにユーザの操作内容に基づいて学習したユーザ嗜好情報とシーン判定処理によって決定した状況（シーン）からユーザの嗜好と状況（シーン）に適した楽曲や番組を予測して、ＦＭラジオ、ＡＭラジオ、テレビ、ＣＤドライブ、ＤＶＤドライブ、ＭＤドライブ、携帯オーディオ端末、ＨＤＤオーディオ等の各情報源からユーザの嗜好に合った楽曲や番組を選択してタイムテーブルを作成する。なお、ベイジアン・ネットワーク・モデルを用いて各種情報にユーザの嗜好を反映させる技術は公知である（例えば、特開２００４−３５５０７５参照）。
【００５４】
図７に、ユーザ嗜好情報とシーン判定に基づいて生成されたタイムテーブルの一例を示す。図に示すように、定期的に通知される交通情報、ＨＤＤに記憶されたユーザの好みのアーティストの音楽（ＪＰＯＰ）、ヘッドラインニュース、ＨＤＤに記憶されたユーザの好みのジャンルの音楽（最新ＪＰＯＰ）、時報、定期的に通知される交通情報、予め登録された地点のピンポイント天気情報、ＨＤＤに記憶されたユーザの好みのジャンルの音楽（ロック）といった番組内容を含むタイムテーブルが生成されている。
【００５５】
次に、生成されたタイムテーブルに従って番組再生を行う（Ｓ４０２）。具体的には、生成されたタイムテーブルに従って、ＦＭラジオ、ＡＭラジオ、テレビ、ＣＤドライブ、ＤＶＤドライブ、ＭＤドライブ、ＨＤＤオーディオ等の各情報源から音楽や番組を取得して提供する。
【００５６】
次に、シーン変更があるか否かを判定する。具体的には、シーン判定処理において決定した状況（シーン）に変更があるか否かを判定する（Ｓ４０４）。
【００５７】
ここで、シーン変更があると判定された場合、Ｓ４０４の判定はＹＥＳとなり、Ｓ２００の処理へ戻る。また、シーン変更がないと判定された場合、Ｓ４０４の判定はＮＯとなり、ユーザ嗜好情報を取得して、前に取得したユーザ嗜好情報を比較して変更が有るか否かを判定する（Ｓ４０６）。
【００５８】
ここで、変化があると判定された場合、Ｓ４０６の判定はＹＥＳとなり、Ｓ２００の処理へ戻る。また、変化がないと判定された場合、Ｓ４０６の判定はＮＯとなり、次に、タイムテーブルに従って全ての番組内容の提供が終了したか否かに基づいて番組が終了したか否かを判定する（Ｓ４０８）。
【００５９】
ここで、全ての番組内容の提供が終了してない場合、Ｓ４０８の判定はＮＯとなり、Ｓ４０２の処理へ戻る。また、全ての番組内容の提供が終了した場合、Ｓ４１８の判定はＹＥＳとなり、Ｓ２００の処理へ戻る。
【００６０】
上記した構成によれば、ユーザによる操作内容からユーザの嗜好に合った情報を取得し（Ｓ１０６、Ｓ１０８、Ｓ１１０、Ｓ１１６、Ｓ１２０）、取得したユーザの嗜好に合った情報を内部記憶媒体２５に記憶されたユーザ嗜好情報に記憶してユーザの嗜好を学習するので、よりユーザの嗜好に合った情報を提供することができる。
【００６１】
なお、上記実施形態における構成と特許請求の範囲の構成との対応関係について説明すると、内部記憶媒体２５がユーザ嗜好情報記憶手段に相当し、Ｓ１０６、Ｓ１０８、Ｓ１１０、Ｓ１１６、Ｓ１２０の処理がユーザ嗜好情報取得手段に相当し、Ｓ１５４およびＳ１５６の処理がユーザ嗜好学習手段に相当し、Ｓ４００の処理がタイムテーブル生成手段に相当し、Ｓ４０２の処理が情報提供手段に相当し、Ｓ１００、Ｓ１１４，Ｓ１１８の処理が操作検知手段に相当する。
【００６２】
なお、本発明は上記実施形態に限定されるものではなく、本発明の趣旨に基づいて種々なる形態で実施することができる。
【００６３】
例えば、上記実施形態では、ナビゲーション装置１を用いて車載情報提供装置を構成した例を示したが、パーソナルコンピュータ（ＰＣ）や携帯端末などを用いて車載情報提供装置を構成してもよい。
【００６４】
また、上記実施形態では、ユーザの選曲操作によって選曲された楽曲、ユーザの操作によって特定された外部情報（天気情報、交通情報、音楽番組、ニュース、ライブ中継等）、ユーザの操作によって選択されたテレビ・ラジオ番組、ユーザの購入操作によって購入された楽曲、ユーザのメディア挿入操作によって挿入されたメディアに記憶された楽曲をユーザの嗜好に合った情報としてユーザ嗜好情報に追加記憶してユーザの嗜好を学習する例を示したが、例えば、リピート再生操作された音楽はユーザの好みの音楽、再生中にスキップ操作された音楽は、ユーザの好みでない音楽としてユーザ嗜好情報に反映させてもよい。また、再生中に音量を大きくさせる音量操作がなされた音楽はユーザの好みの音楽、再生中に音量を小さくさせる音量操作がなされた音楽はユーザの好みでない音楽としてユーザ嗜好情報に反映させてもよい。
【００６５】
また、上記実施形態では、ユーザによる操作内容からユーザの嗜好に合った情報を取得してユーザ嗜好情報に反映させる例を示したが、例えば、ユーザによる選曲操作等の各種操作、ユーザによる購入操作、メディア挿入操作を、それぞれ操作履歴、購入履歴、メディア挿入履歴として、内部記憶媒体２５に記憶しておき、これらの各履歴を読み出してユーザ嗜好情報に反映させてもよい。
【００６６】
また、上記実施形態では、Ｓ１１６において、音楽購入の操作が検知されると購入操作された楽曲の音楽情報を取得し、Ｓ１１２において、取得した楽曲の音楽情報をユーザ嗜好情報に反映させてユーザの嗜好を学習する例を示したが、Ｓ１１６において、更に、購入操作が行われた時期（月日）から購入操作が行われた季節情報（春、夏、秋、冬）を取得し、Ｓ１１２において、購入操作によって購入された楽曲の音楽情報に購入操作が行われた季節情報を関連付けてユーザ嗜好情報に記憶させてもよい。例えば、購入操作の季節が夏の場合には、「夏場の音楽」といったふうにグルーピングしてユーザ嗜好情報に反映させることにより、このユーザ嗜好情報に基づいて、夏場にはユーザの嗜好に合った「夏場の音楽」を提供することが可能である。
【００６７】
また、上記実施形態では、Ｓ１２０において、楽曲の音楽情報が記憶されたメディアの挿入が検知されると挿入されたメディアに記憶された楽曲の音楽情報を取得し、Ｓ１１２において、取得した楽曲の音楽情報をユーザ嗜好情報に反映させてユーザの嗜好を学習する例を示したが、Ｓ１２０において、更に、メディア挿入の操作が行われた時期（月日）からメディアの挿入操作が行われた季節情報（春、夏、秋、冬）を取得し、Ｓ１１２において、メディア挿入操作によって挿入されたメディアに記憶された楽曲の音楽情報にメディア挿入操作が行われた季節情報を関連付けてユーザ嗜好情報に記憶させてもよい。このように挿入されたメディアに記憶された楽曲の音楽情報にメディア挿入操作が行われた季節情報を関連付けてユーザ嗜好情報に記憶させることにより、このユーザ嗜好情報に基づいて、季節に応じてユーザの嗜好に合った音楽を提供することが可能である。
【００６８】
また、上記実施形態では、Ｓ１０６においてユーザの選曲操作によって選曲された楽曲の音楽情報を取得する例を示したが、ユーザによって検索された検索条件（例えば、アーティスト名や曲名など）からユーザの嗜好に合った情報を取得し、ユーザ嗜好情報に反映させてもよい。
【００６９】
また、ユーザによる車載情報提供装置の操作内容によってユーザの嗜好に合った情報を取得するだけでなく、ユーザの操作によって車載情報提供装置以外の装置（例えば、自宅のパーソナルコンピュータ）で取得した音楽、ニュース等の情報や、ユーザの操作によって検索された検索条件（例えば、アーティスト名や曲名など）を、通信または着脱可能な記憶媒体（例えば、メモリカード等）を介してユーザの嗜好に合った情報として取得し、取得した情報をナビゲーション装置１の内部記憶媒体２５のユーザの嗜好情報に反映させてもよい。
【図面の簡単な説明】
【００７０】
【図１】本発明に係る車載情報提供装置の全体構成を示す図である。
【図２】行動パターン情報Ａとユーザ嗜好情報Ｂについての説明図である。
【図３】制御回路によるユーザ嗜好の学習機能についての説明図である。
【図４】制御回路によるテンプレートの更新処理を示す図である。
【図５】制御回路による番組生成処理を示す図である。
【図６】シーン判定処理のフローチャートの一例を示す図である。
【図７】番組生成処理によって生成されたタイムテーブルの一例を示す図である。
【符号の説明】
【００７１】
１…ナビゲーション装置、１１…位置検出部、１２…地磁気センサ、
１３…ジャイロスコープ、１４…距離センサ、１５…ＧＰＳ受信機、
１７…操作スイッチ群、１８…ＴＶチューナ、１９…ＦＭ・ＡＭチューナ、
２０…ＣＤドライブ、２１…ＤＶＤドライブ、２２…ＭＤドライブ、
２３…外部オーディオインタフェース、２４…制御回路、２５…内部記憶媒体、
２６…表示部、２７…音声出力部、２８…外部情報入出力部、２９…リモコンセンサ、
２９ａ…リモコン。 
【図１】
0004428324.tif 000002
【図２】
0004428324.tif 000003
【図３】
0004428324.tif 000004
【図４】
0004428324.tif 000005
【図５】
0004428324.tif 000006
【図６】
0004428324.tif 000007
【図７】
0004428324.tif 000008